【手続補正書】
【提出日】平成18年1月16日(2006.1.16)
【手続補正１】
【補正対象書類名】明細書
【補正対象項目名】特許請求の範囲
【補正方法】変更
【補正の内容】
【特許請求の範囲】
【請求項１】  クライアントからＩＰアドレス要求を受信するステップと、
クライアントにＩＰアドレスを割り当てるステップと、
ＩＰアドレスについてのリース時間をランダムに決定するステップと、
ＩＰアドレスおよびリース時間をクライアントに送信するステップと
を含み、クライアントはリース時間内のリニュワル・ウインドウ中にリニュワルを要求しなければならない方法。
【請求項２】  クライアントにリニュワル・ウインドウを送信するステップをさらに含む請求項１に記載の方法。
【請求項３】  クライアントがＩＰアドレスを使用してネットワークにアクセスすることを可能にするステップと、
リニュワル・ウインドウ中にリニュワル・パケットが受信されない場合はネットワークへのアクセスを終了するステップとをさらに含む請求項２に記載の方法。
【請求項４】  終了するステップがリース時間の終わりに行われる請求項３に記載の方法。
【請求項５】  可能にするステップがユーザＩＤおよびパスワードを検証することを含む請求項３に記載の方法。
【請求項６】  クライアントが無線クライアントを含む請求項１に記載の方法。
【請求項７】  クライアントが所定のアルゴリズムを使用してリニュワル・ウインドウを計算する請求項１に記載の方法。
【請求項８】  クライアントからＩＰアドレス要求を受信するステップと、
クライアントにＩＰアドレスを割り当てるステップと、
ＩＰアドレスについてのリース時間中に生じるリニュワル・ウインドウをランダムに決定するステップと、
ＩＰアドレスおよびリニュワル・ウインドウをクライアントに送信するステップとを含み、クライアントがリニュワル・ウインドウ中にリニュワルを要求しなければならない方法。
【請求項９】  リース時間が固定である請求項８に記載の方法。
【請求項１０】  クライアントがＩＰアドレスを使用してネットワークにアクセスすることを可能にするステップと、
リニュワル・ウインドウ中にリニュワル・パケットが受信されない場合はネットワークへのアクセスを終了するステップとをさらに含む請求項８に記載の方法。
【請求項１１】  終了するステップがリース時間の終わりに行われる請求項１０に記載の方法。
【請求項１２】  終了するステップがリニュワル・ウインドウの終わりに行われる請求項１０に記載の方法。
【請求項１３】  可能にするステップがユーザＩＤおよびパスワードを検証することを含む請求項１０に記載の方法。
【請求項１４】  クライアントが無線クライアントを含む請求項８に記載の方法。
【請求項１５】  コンピュータに方法を実行させる命令を記憶したコンピュータ可読媒体であって、前記方法が、
クライアントからＩＰアドレス要求を受信するステップと、
クライアントにＩＰアドレスを割り当てるステップと、
ＩＰアドレスについてのリース時間中に生じるリニュワル・ウインドウをランダムに決定するステップと、
ＩＰアドレスおよびリニュワル・ウインドウをクライアントに送信するステップと
を含み、クライアントがリニュワル・ウインドウ中にリニュワルを要求しなければならない方法である、コンピュータ可読媒体。
【請求項１６】  リース時間が固定である請求項１５に記載のコンピュータ可読媒体。
【請求項１７】  前記方法がさらに、
クライアントがＩＰアドレスを使用してネットワークにアクセスすることを可能にするステップと、
リニュワル・ウインドウ中にリニュワル・パケットが受信されない場合はネットワークへのアクセスを終了するステップとを含む請求項１５に記載のコンピュータ可読媒体。
【請求項１８】  終了するステップがリース時間の終わりに行われる請求項１７に記載のコンピュータ可読媒体。
【請求項１９】  終了するステップがリニュワル・ウインドウの終わりに行われる請求項１７に記載のコンピュータ可読媒体。
【請求項２０】  可能にするステップがユーザＩＤおよびパスワードを検証することを含む請求項１７に記載のコンピュータ可読媒体。
【請求項２１】  クライアントが無線クライアントを含む請求項１５に記載のコンピュータ可読媒体。
【請求項２２】  クライアントからＩＰアドレス要求を受信する手段と、
クライアントにＩＰアドレスを割り当てる手段と、
ＩＰアドレスについてのリース時間中に生じるリニュワル・ウインドウをランダムに決定する手段と、
ＩＰアドレスおよびリニュワル・ウインドウをクライアントに送信する手段とを備えるシステムであって、クライアントがリニュワル・ウインドウ中にリニュワルを要求しなければならないシステム。
【請求項２３】  最小リース時間と最大リース時間との間で乱数を生成することのできる乱数生成器と、
生成器に通信可能に結合されたＩＰ割当てエンジンであって、クライアントからＩＰアドレス要求を受信し、クライアントにＩＰアドレスを割り当て、生成器を使用してＩＰアドレスについてのリース時間中のリニュワル・ウインドウをランダムに決定し、ＩＰアドレスおよびリニュワル・ウインドウをクライアントに送信することのできるＩＰ割当てエンジンと
を備えるシステムであって、クライアントがリニュワル・ウインドウ中にリニュワルを要求しなければならないシステム。
【請求項２４】  ＩＰ割当てエンジンがさらにクライアントにリース時間を送信することができる請求項２３に記載のシステム。
【請求項２５】  クライアントが無線クライアントを含む請求項２３に記載のシステム。
【請求項２６】  ＩＰアドレスと、固定リース時間と、リース時間中のリニュワル・ウインドウについてのランダム生成された開始時間とを受信するステップと、
クライアントがＩＰアドレスを使用してネットワークにアクセスすることを可能にするステップと、
リニュワル・ウインドウ中にリニュワル・パケットが受信されない場合はネットワークへのアクセスを終了するステップとを含む方法。
【請求項２７】  終了するステップがリニュワル・ウインドウの終わりに行われる請求項２６に記載の方法。
【請求項２８】  終了するステップがリース時間の終わりに行われる請求項２６に記載の方法。
【請求項２９】  可能にするステップがユーザＩＤおよびパスワードを検証することを含む請求項２６に記載の方法。
【請求項３０】  コンピュータに方法を実行させる命令を記憶したコンピュータ可読媒体であって、前記方法が、
ＩＰアドレスと、固定リース時間と、リース時間中のリニュワル・ウインドウについてのランダム生成された開始時間とを受信するステップと、
クライアントがＩＰアドレスを使用してネットワークにアクセスすることを可能にするステップと、
リニュワル・ウインドウ中にリニュワル・パケットが受信されない場合はネットワークへのアクセスを終了するステップとを含む方法である、コンピュータ可読媒体。
【請求項３１】  終了するステップがリニュワル・ウインドウの終わりに行われる請求項３０に記載のコンピュータ可読媒体。
【請求項３２】  終了するステップがリース時間の終わりに行われる請求項３０に記載のコンピュータ可読媒体。
【請求項３３】  可能にするステップがユーザＩＤおよびパスワードを検証することを含む請求項３０に記載のコンピュータ可読媒体。
【請求項３４】  ＩＰアドレスと、固定リース時間と、リース時間中のリニュワル・ウインドウについてのランダム生成された開始時間とを受信する手段と、
クライアントがＩＰアドレスを使用してネットワークにアクセスすることを可能にする手段と、
リニュワル・ウインドウ中にリニュワル・パケットが受信されない場合はネットワークへのアクセスを終了する手段とを備えるシステム。
【請求項３５】  クライアントに送信されるパケットを受信することのできるパケット監視エンジンであって、パケットがＩＰアドレスおよびランダムなリース時間を含むパケット監視エンジンと、
パケット監視エンジンに通信可能に結合されたアクセス・エンジンであって、クライアントがＩＰアドレスを使用してネットワークにアクセスすることを可能にし、リース時間内のリニュワル・ウインドウ中にリニュワル・パケットが受信されない場合はネットワークへのアクセスを終了することのできるアクセス・エンジンとを備えるシステム。
【請求項３６】  アクセス・エンジンがリース時間の終わりにアクセスを終了する請求項３５に記載のシステム。
【請求項３７】  アクセス・エンジンがユーザＩＤおよびパスワードを検証することによってアクセスを可能にする請求項３５に記載のシステム。